(57)【要約】      （修正有）【課題】  横長形状で不安定であるという袋状収尿器の問題点、および保管に場所を取る、尿の落下音がするという箱状収尿器の問題点を解決し、低床ベッドでの使用に好適な収尿器を提供する。【解決手段】  上面１１、下面および側面１３で構成された容器本体１、上面１１に設けられた通気フィルター１６および導入口１７、導入口１７に設けられた逆止弁１８、導入口１７に接続される導入チューブ２、下面に設けられた排出口、および排出口に接続される排出チューブを備えてなる収尿器であって、容器本体１の上面１１および下面は、容器本体１内部に尿が収容されたときにかかる荷重により変形しない剛性を有する板状部材により構成され、容器本体１の側面１３が柔軟なシートで構成されたことを特徴とする収尿器。【選択図】  図１
2008093129.tif 000002
【特許請求の範囲】
【請求項１】
上面、下面および側面で構成された容器本体、上面に設けられた通気フィルターおよび導入口、導入口に設けられた逆止弁、導入口に接続される導入チューブ、下面に設けられた排出口、および排出口に接続される排出チューブを備えてなる収尿器であって、容器本体の上面および下面は、容器本体内部に尿が収容されたときにかかる荷重により変形しない剛性を有する板状部材により構成され、容器本体の側面が柔軟なシートで構成されたことを特徴とする収尿器。
【請求項２】
前記板状部材は、硬質材料から成形され、最も面積の大きい面の形状が正方形、長方形、円形、楕円形、または正方形あるいは長方形の角部が丸みを帯びたものである請求項１記載の収尿器。
【請求項３】
前記板状部材は、周縁部が硬質材料で構成され、その他の部分が柔軟なシートで構成されたものである請求項１記載の収尿器。
【請求項４】
前記収尿器は、使用前の状態では側面が折り畳まれてなる請求項１〜３のいずれかに記載の収尿器。
【請求項５】
前記収尿器は、側面が折り畳まれた状態のまま使用を開始するものである請求項４記載の収尿器。
【請求項６】
前記収尿器は、完全な箱状にならない程度に側面を伸ばして使用を開始するものである請求項４記載の収尿器。
【発明の詳細な説明】
【技術分野】
【０００１】
本発明は、患者から排出される尿を収容するための収尿器に関するものである。
【背景技術】
【０００２】
従来、一般的な収尿器は、内部に尿を収容しうる柔軟なシートで形成された袋状の容器本体と、細菌の上行を防ぐために尿を滴下しながら容器本体へと導尿させるためのドリップチャンバーと、容器本体の内部に収容された尿の逆流を防止するための逆止弁とを具備してなる。患者から排出される尿は導入チューブを通り、ドリップチャンバーおよび逆止弁を通過して容器本体内部へ流入する。容器本体は通常２，０００〜２，５００ｍｌ程度の尿を収容できるような大きさを有するが、容器本体内部に貯留された尿は、容器下部に接続された排出チューブを介して排出される。排出チューブは、尿を排出しないときはクランプ等で閉塞されている。患者の尿は重力により容器本体内部に収容されるため、収尿器は患者の体より下方に配置されて使用される。
【０００３】
前述の袋状収尿器は、２枚の柔軟なシートの縁部を溶着して成形されるが、このような袋状容器は容量を確保するためには形状が大きくなるため、近年多用される低床ベッドで使用した場合には、底部が床面に接触してしまい、衛生上問題視されている。しかしながら、このような袋状容器は高さを低減するためには横幅を増加させなければならず、横長の形状にした場合、袋状容器の形状が荷重に耐えることができない。したがって、特許文献１に記載されるように、容器の型くずれを防ぐ工夫が必要であるが、このように別部品を用いると構造が複雑になるため、製造工程が増えて好ましくない。
【０００４】
前記問題点を解決すべく、剛性を有する材料により箱状に形成された容器本体よりなる収尿器も開発されている（例えば、特許文献２参照）。剛性箱状容器よりなる収尿器は、低床ベッド用に横長の形状としても、容器が型くずれするおそれがなく、底部が床面に接触することがなく、さらに汚染および破損のおそれもない。また、床面上に戴置した状態で安定するため、容器本体内部の尿を排出する際等の操作性に優れる。さらに、導入口から液面までの距離が長いため、細菌の上行防止のためのドリップチャンバーを設ける必要もない。しかしながら、このような箱状容器は全体が剛性を有する材料により形成されているため、重く使いづらい。また尿を収尿する前であっても箱状であるために嵩高く、使用前等の保管には大きなスペースを必要とする。さらに袋状容器と比較して、導尿開始直後は導入口から液面までの距離が長いため、尿が落下する際に音を発し、患者に不快感を与える場合がある。尿の落下音を抑制するための機構が設けられた剛性箱状収尿器も提案されているが（例えば、特許文献３参照）、やはり部品点数が増え、製造工程が複雑になってしまう。
【０００５】
【特許文献１】実用新案登録第２５７９４３２号公報
【特許文献２】特開２００３−２３５９１２号公報
【特許文献３】特開２００６−１４９２３号公報
【発明の開示】
【発明が解決しようとする課題】
【０００６】
本発明の目的は、上記したような、横長形状で不安定であるという袋状収尿器の問題点、および、容器自体が重い、保管に場所を取る、尿の落下音がするという箱状収尿器の問題点を解決し、低床ベッドでの使用に好適な収尿器を提供することである。
【課題を解決するための手段】
【０００７】
本発明者らは鋭意検討を行った結果、収尿器の容器本体の上面および下面を、容器本体内部に尿が収容されたときにかかる荷重により変形しない剛性を有する板状部材により構成し、側面を柔軟なシートで構成することにより、上記課題を解決した収尿器を提供できることを見出し、本発明に到達した。
【０００８】
すなわち本発明は、
（１）上面、下面および側面で構成された容器本体、上面に設けられた通気フィルターおよび導入口、導入口に設けられた逆止弁、導入口に接続される導入チューブ、下面に設けられた排出口、および排出口に接続される排出チューブを備えてなる収尿器であって、容器本体の上面および下面は、容器本体内部に尿が収容されたときにかかる荷重により変形しない剛性を有する板状部材により構成され、容器本体の側面が柔軟なシートで構成されたことを特徴とする収尿器、
（２）前記板状部材は、硬質材料から成形され、最も面積の大きい面の形状が正方形、長方形、円形、楕円形、または正方形あるいは長方形の角部が丸みを帯びたものである（１）記載の収尿器、
（３）前記板状部材は、周縁部が硬質材料で構成され、その他の部分が柔軟なシートで構成されたものである（１）記載の収尿器、
（４）前記収尿器は、使用前の状態では側面が折り畳まれてなる（１）〜（３）のいずれかに記載の収尿器、
（５）前記収尿器は、側面が折り畳まれた状態のまま使用を開始するものである（４）記載の収尿器、
（６）前記収尿器は、完全な箱状にならない程度に側面を伸ばして使用を開始するものである（４）記載の収尿器
に関する。
【発明の効果】
【０００９】
本発明の収尿器は、上面および下面を、容器本体内部に尿が収容されたときにかかる荷重により変形しない剛性を有する板状部材により構成したことにより、低床ベッド用に横長形状としても変形せず、床面上に戴置した状態で安定するという硬質箱状容器の利点を生かし、かつ、側面を柔軟なシートで構成したことにより、硬質箱状容器の問題点を解消している。すなわち、本発明の収尿器は使用前の状態では側面が折り畳まれるため保管に大きなスペースを必要とせず、また容器本体内部に尿が収容されるにつれて側面が伸びて箱状になるため、使用開始直後の導入口と液面との距離が短く、尿の落下音が大きくなることもない。また、剛性を有する板状部材を上面と下面にのみ使用することにより、収尿器の軽量化が図れ、使用しやすい。
【発明を実施するための最良の形態】
【００１０】
以下、図面を用いて本発明の好ましい実施態様を詳細に説明するが、本発明はこれらに限定されるものではない。
図１および図２は本発明の収尿器の使用状態を示す斜視図であり、図１は上方から見た斜視図、図２は下方から見た斜視図である。図３は、図１に示される収尿器の使用前の保管状態を示す斜視図である。また図４は、本発明の収尿器の使用状態を示す説明図である。
【００１１】
図１および図２に示されるように、本発明の収尿器は、上面１１、下面１２および側面１３で構成された容器本体１からなる。上面１１および下面１２は、容器本体１内部に尿が収容されたときにかかる荷重により変形しない剛性を有する板状部材により構成される。具体的には、上面１１および下面１２は、全体が硬質材料から成形された板状部材であってもよいし、その周縁部のみが硬質材料で構成された板状部材であってもよい。
【００１２】
前者の板状部材の例としては、硬質ポリ塩化ビニル、ポリプロピレン、ポリカーボネート、ＡＢＳ樹脂または硬質エチレンビニルアセテート等の硬質材料から射出成形などにより成形された板状部材である。板状部材の最も面積の大きい面、すなわち使用時に容器本体１の上側または下側に現れる面の形状は、正方形、長方形、円形、楕円形、または正方形あるいは長方形の角部が丸みを帯びたものであることが、操作性および収容量の確保の面で好ましい。
【００１３】
後者の板状部材の例としては、周縁部が上記硬質材料で構成され、その周縁部の上から柔軟なシートを覆うように張り、シートの縁部を周縁部に固定することで、中央部が柔軟なシートのみで構成された板状部材である。柔軟なシートの構成材料は、後述する側面１３を構成する柔軟なシートと同様のものが用いられる。前記周縁部としては、断面が円形または矩形の棒状体の端部を接続して全体形状をドーナツ状としたものや、板状に形成された部材の中央部をくり抜いたものなどがあげられる。また周縁部は、必ずしも端部が接続された切れ目のないドーナツ状である必要はなく、一部が欠損した周縁部または複数個の周縁部であっても、柔軟なシートの縁部に固定することにより、容器本体１内部に尿が収容されたときにかかる荷重により変形しない剛性が付与された板状部材を構成できるものであればよい。前記板状部材は、必要最小限の剛性を有している限り、硬質材料で形成される部分が少ないほど収尿器自体が軽量となり扱いやすい。
【００１４】
前記容器本体１の側面１３を構成する柔軟なシートおよび前記周縁部に固定される柔軟なシートは、軟質ポリ塩化ビニル、ポリスチレン、ポリプロピレン、ポリプロピレン／ナイロン積層体またはエチレンビニルアセテート等の軟質材料からＴダイ成形やインフレーション成形等により成形された厚み０．２〜０．４ｍｍ程度の柔軟なシートあるいは厚み２ｍｍ程度のゴムシート等から成形される。前記側面１３は、一枚の柔軟なシートまたは複数枚の柔軟なシートを筒状に熱溶着、溶剤接着または接着剤による接着によって形成される。筒状に形成されたシートの両端部は、それぞれ前記上面１１および下面１２を構成する板状部材の側面に熱溶着、溶剤接着または接着剤による接着によって固定され、内部空間を有する容器本体１が形成される。
【００１５】
前記側面１３を構成する柔軟なシートには、容器本体１内部に収容される尿の量を確認しうるよう、目盛り１４が付与されることが好ましい。また側面１３は、前記目盛り１４により尿の量を確認しうる範囲で、極力視認性を悪くした半透明なシートであることが、使用者の精神的苦痛を和らげることができる点で好ましい。あるいは、側面１３は全体を不透明なシートで構成し、目盛り１４が付与される部分の近傍に尿の量を確認しうる半透明なシートで形成された窓部１５を設けてもよい。このような窓部１５は側面１３を構成する不透明なシートに窓部１５を設けるための孔を形成し、別の半透明なシートをこの孔に熱溶着、溶剤あるいは接着剤を用いて接着することによって接合して設けることができる。
【００１６】
前記容器本体１を構成する上面１１には、通気フィルター１６が設けられる。通気フィルター１６は、容器本体１内外の空気の移動を可能とするものであり、空気の通過を許容し、かつ液体、すなわち容器本体１内に収容される尿の通過を許容しない疎水性を有するものであることが好ましい。前記通気フィルター１６は上面１１に直接設けられてもよいし、図１に示されるように後述する導入口１７の接続部２１に設けられてもよい。
本発明の収尿器は、図３に示されるように、使用前の保管状態では容器本体１の嵩を低くするために柔軟なシートで構成される側面１３が折り畳まれている。前記収尿器は、容器本体１内部に尿が収容されるにつれてその荷重で側面１３が伸び、それに伴って前記通気フィルター１６から空気が容器本体１内に流入して、最終的には図１に示されるように箱状になる。すなわち前記通気フィルター１６は、容器本体１内外の空気の移動を可能とすることにより、図３から図１への収尿器の変形を可能としている。
【００１７】
前記上面１１には、さらに患者の尿を容器本体１内部に導入するための開口である導入口１７が設けられる。前記導入口１７には一端が患者に接続された導入チューブ２の他端が、熱溶着または溶剤あるいは接着剤により接着することにより接続される。前記導入口１７には、導入チューブ２との接続を容易に行うために、図１に示されるようにドリップチャンバーのような接続部２１が予め設けられていてもよい。前記導入口１７には、容器本体１内部に収容された尿の逆流を防止しうる逆止弁１８が設けられる。前記逆止弁１８の構造としては、上端（尿流入口）および下端（尿流出口）を除く周縁部を互いにシールされた柔軟な２枚のシートからなる逆止弁、尿の流入および尿の逆流を防止するための自由に撓むことが可能な柔軟な板上の弁からなる逆止弁等があげられる。前記逆止弁１８は熱溶着または溶剤あるいは接着剤により接着するか、あるいは上面１１と接続部２１との接続時に両部材間に挟み込むことにより導入口１７に固定される。
【００１８】
前記容器本体１を構成する下面１２には、容器本体１内部に収容された尿を排出するための開口である排出口１９が設けられる。前記排出口１９には、排出チューブ３の一端が、熱溶着または溶剤あるいは接着剤により接着することにより接続される。前記排出口１９には、排出チューブ３との接続を容易に行うために、Ｌ字管のような接続部３１が予め設けられていてもよい。また、前記接続部３１は、尿の排出をスムーズに行うため、排出端に向かって径が小さくなるテーパー形状を有していてもよい。前記排出チューブ３は、尿の排出を行わないときは、板状クランプ３２等の閉塞部材により閉塞されている。
【００１９】
本発明の収尿器は、図４に示されるように通常のベッドあるいは低床ベッドの台座等に吊り下げることにより、容器本体１に設けられる導入口１７が患者の体よりも下方になるように配置される。したがって、前記収尿器には、図１に示されるベルトや紐のような吊り具４を上面１１等に設けることができる。さらに、使用後の収尿器を床面上に戴置する際に、排出チューブ３が床面に接触しないよう、本発明の収尿器は、排出チューブ３を側面１３の下端に設けたり、あるいは下面１２の周縁に脚部を設けることもできる。
【００２０】
本発明の収尿器は、使用の開始に際しては、図３に示される折り畳まれた状態のまま尿の導入を開始することができる。この場合、従来の袋状容器である収尿器に設けられているドリップチャンバーを導入口１７に設けることにより、より確実に細菌の上行を防止することができる。前記収尿器は、容器本体１内部に尿が収容されるにつれて側面１３が伸びて図１に示されるような箱状になる。したがって、使用開始直後は導入口１７と収容される尿の液面との距離が短いため、尿の落下音がほとんど発生しない。
また、前記収尿器は、あらかじめ上面１１と下面１２とを引き離すように引っ張って側面１３を伸ばした状態で尿の導入を開始してもよい。この場合、側面１３を伸ばしすぎると容器本体１が箱状になってしまい、導入口１７と収容される尿の液面との距離が長くなって尿の落下音が大きくなるため、完全な箱状にならない程度に側面１３を伸ばして使用することが好ましい。
【図面の簡単な説明】
【００２１】
【図１】使用状態における本発明の収尿器を上方から見た斜視図である。
【図２】使用状態における本発明の収尿器を下方から見た斜視図である。
【図３】図１に示される収尿器の使用前の保管状態を示す斜視図である。
【図４】本発明の収尿器の使用状態を示す説明図である。
【符号の説明】
【００２２】
１  容器本体
１１  上面
１２  下面
１３  側面
１４  目盛り
１５  窓部
１６  通気フィルター
１７  導入口
１８  逆止弁
１９  排出口
２  導入チューブ
２１  接続部
３  排出チューブ
３１  接続部
３２  板状クランプ
４  吊り具
【図１】
2008093129.tif 000003
【図２】
2008093129.tif 000004
【図３】
2008093129.tif 000005
【図４】
2008093129.tif 000006